(57)【要約】【課題】  ディスクトレイの進入動作又は退出動作を停止させるときに発生する衝突音を、板ばねなどの別部品を余分に用いることなく軽減させる。【解決手段】  駆動力を受けてシャーシ１０に対し出し入れされることによりディスクの給排を行うディスクトレイ２０と、ディスクトレイ２０を案内するガイド手段３０と、ディスクトレイ２０の進入又は退出の動作を停止させる作用を行うストッパ手段４０と、ディスクトレイ２０の退出動作が停止する直前にディスクトレイ２０を制動して退出速度を漸減させる制動手段５０と、を備える。制動手段５０が第１摺動体５１とその相手方部材としての樹脂製の板ばねでなる第２摺動体５２との組み合わせでなり、第１摺動体５１を樹脂成形体でなるシャーシ１０に一体成形し、第２摺動体５２を樹脂成形体でなるディスクトレイ２０に一体成形する。【選択図】        図２
2008186562.tif 000002
【特許請求の範囲】
【請求項１】
構体としてのシャーシと、駆動力を受けて上記シャーシに対し出し入れされることによりディスクの給排を行うディスクトレイと、このディスクトレイを案内してシャーシに対するディスクトレイの進入退出経路を形成するガイド手段と、上記ディスクトレイ側の係合部及びこの係合部を受け止めるための受部を備えて上記ディスクトレイの進入又は退出の動作を停止させる作用を行うストッパ手段と、このストッパ手段の作用によって上記ディスクトレイの退出動作が停止される直前にそのディスクトレイを制動してその退出速度を漸減させる制動手段と、を備えるディスク装置において、
上記制動手段が、互いに一方向に摺動することによって摺動抵抗を漸増させる第１摺動体とその相手方部材としての樹脂製の板ばねでなる第２摺動体との組み合わせでなり、
上記第１摺動体が樹脂成形体でなる上記シャーシに一体成形されて側面が上記第２摺動体に対する摺動部として形成された突起でなり、
樹脂製の板ばねでなる上記第２摺動体は、樹脂成形体でなる上記ディスクトレイに一体成形されてその長手方向両端がそのディスクトレイに支えられた両持ち構造を有していると共に、その第２摺動体の両側に、この第２摺動体の成形型の抜き跡によって形成されてその有効部分の弾性変位を許容する空間が形成され、かつ、その有効部分の厚さが長手方向のどの部分でも一様な寸法に定められていることを特徴とするディスク装置。
【請求項２】
構体としてのシャーシと、駆動力を受けて上記シャーシに対し出し入れされることによりディスクの給排を行うディスクトレイと、このディスクトレイを案内してシャーシに対するディスクトレイの進入退出経路を形成するガイド手段と、上記ディスクトレイ側の係合部及びこの係合部を受け止めるための受部を備えて上記ディスクトレイの進入又は退出の動作を停止させる作用を行うストッパ手段と、このストッパ手段の作用によって上記ディスクトレイの進入又は退出の動作が停止される直前にそのディスクトレイを制動してその進入又は退出の速度を漸減させる制動手段と、を備えるディスク装置において、
上記制動手段が、互いに一方向に摺動することによって摺動抵抗を漸増させる第１摺動体とその相手方部材としての樹脂製の板ばねでなる第２摺動体との組み合わせでなり、それらのうちの一方側の摺動体が樹脂成形体でなる上記シャーシに一体成形され、それらのうちの他方側の摺動体が樹脂成形体でなる上記ディスクトレイに一体成形されていることを特徴とするディスク装置。
【請求項３】
樹脂製の板ばねでなる上記第２摺動体は、その長手方向両端が上記シャーシ又は上記ディスクトレイに支えられた両持ち構造を有する請求項２に記載したディスク装置。
【請求項４】
樹脂製の板ばねでなる上記第２摺動体の両側に、その第２摺動体の弾性変位を許容する空間が形成されていて、その空間がこの第２摺動体の成形型の抜き跡によって形成されている請求項３に記載したディスク装置。
【請求項５】
樹脂製の板ばねでなる上記第２摺動体は、その有効部分の厚さが長手方向のどの部分でも一様な寸法に定められている請求項３又は請求項４に記載したディスク装置。
【発明の詳細な説明】
【技術分野】
【０００１】
本発明は、ディスク装置、特に、ディスクの給排を行うディスクトレイの進入動作又は退出動作を停止させるときに発生する衝突音を軽減させると同時に、ディスクトレイの進入動作又は退出動作の品位の向上を図るための対策を講じたディスク装置に関する。
【背景技術】
【０００２】
ディスクの記録面を光ピックアップにより光学的に処理してデータの書込みや読取りを行うためのディスク装置において、ディスクを処理位置に搬入したり処理位置から搬出したりするときに、モータによる駆動力を受けて進入退出動作するディスクトレイを利用するものは従来より周知である。また、ディスクトレイの進入動作や退出動作を停止させるためのストッパ手段として、ディスクトレイ側に設けられた突片状の係合部と、その係合部を受け止めさせる受部との組み合わせを採用したものも従来より周知である。
【０００３】
このような従来のディスク装置に関し、上記ストッパ手段の係合部と受部との衝突音（衝撃音）を軽減させたりディスクトレイの動作停止時のバウンド（跳ね返り）を抑制するために、ストッパ手段の係合部と受部とが係合する直前のタイミングでディスクトレイに側圧を付加してディスクトレイの動作速度を漸減させるという対策（制動対策）を講じることが行われている（たとえば、特許文献１参照）。
【０００４】
また、ディスクトレイを駆動するギヤに掛かる負荷を低減させるために、上記ストッパ手段の受部を波形にしてその受部に弾性を付与し、そのストッパ手段の係合部が上記受部に衝突するときの衝撃を受部の弾性変形により吸収させるようにしたもの（たとえば、特許文献２参照）や、ディスクトレイの停止動作の正確性を高めるために弾性アーム構造を採用したディスクドライブ装置も提案されている（たとえば、特許文献３参照）。
【特許文献１】特開平９−２８２７６２号公報
【特許文献２】特開２００６−３０２３８１号公報
【特許文献３】特開２００２−１３３７４７号公報
【発明の開示】
【発明が解決しようとする課題】
【０００５】
しかしながら、特許文献１によって提案されている制動対策は、ディスクトレイに側圧を付与するために板ばねを追加するというものである。そのため、板ばねが余分に必要になってディスク装置の組立工程が煩雑になるほか、板ばねを板金製とした場合には、その板ばねの弾性の大きさを精密に調整することに困難を伴うために、制動時のディスクトレイの動作速度を高精度で調整することが難しいということが云える。そのため、特許文献１によって提案されている制動対策を講じるだけでは、ディスクトレイの進入動作又は退出動作を停止させるときに発生する衝突音をある程度までは軽減させることができるとしても、その衝突音を顕著に軽減させたり、あるいは、ディスクトレイの進入動作又は退出動作の停止時にそのディスクトレイの速度を高精度で漸減させて動作品位の向上を図ったりすることに困難を伴うという問題があるだけでなく、板ばねを余分に必要とするために部品点数が増加して組立工程が煩雑になるということを回避することができないという問題もある。
【０００６】
また、特許文献２や特許文献３によって提案されている技術は、ストッパ部材の係合部がその受部に衝突する直前でのディスクトレイの動作速度を遅くするというものではなく、それらが衝突することに伴う衝撃を緩和したり、ディスクトレイの停止動作の正確性を高めたりするというものに過ぎない。そのため、ディスクトレイの動作の停止時の衝突音を軽減したり上記したような動作品位を向上させる対策としては不向きである。
【０００７】
本発明は、以上の問題や状況に鑑みてなされたものであり、ディスクトレイの進入動作又は退出動作を停止させるときに発生する衝突音を、板ばねなどの別部品を余分に用いることなく軽減させることのできるディスク装置を提供することを目的とする。
【０００８】
また、本発明は、ディスクトレイの動作停止の直前のタイミングでのディスクトレイの動作速度の調整が容易に行われるようにして、そのディスクトレイの動作品位を高めやすいディスク装置を提供することを目的とする。
【課題を解決するための手段】
【０００９】
本発明に係るディスク装置は、構体としてのシャーシと、駆動力を受けて上記シャーシに対し出し入れされることによりディスクの給排を行うディスクトレイと、このディスクトレイを案内してシャーシに対するディスクトレイの進入退出経路を形成するガイド手段と、上記ディスクトレイ側の係合部及びこの係合部を受け止めるための受部を備えて上記ディスクトレイの進入又は退出の動作を停止させる作用を行うストッパ手段と、このストッパ手段の作用によって上記ディスクトレイの進入又は退出の動作が停止される直前にそのディスクトレイを制動してその進入又は退出の速度を漸減させる制動手段と、を備えている。そして、上記制動手段が、互いに一方向に摺動することによって摺動抵抗を漸増させる第１摺動体とその相手方部材としての樹脂製の板ばねでなる第２摺動体との組み合わせでなり、それらのうちの一方側の摺動体が樹脂成形体でなる上記シャーシに一体成形され、それらのうちの他方側の摺動体が樹脂成形体でなる上記ディスクトレイに一体成形されている。
【００１０】
この発明によれば、ディスクトレイの進入又は退出の動作が停止される直前に制動手段によってディスクトレイが制動されてその進入又は退出の速度が漸減するので、ストッパ手段の係合部が受部に衝突するときの衝撃が緩和されて衝突音などの騒音が軽減する。そして、特に、制動作用を発揮する制動手段が、第１摺動体と第２摺動体との組み合わせでなり、一方側の摺動体が樹脂成形体でなるシャーシに一体成形され、他方側の摺動体が樹脂成形体でなるディスクトレイに一体成形されていることにより、板ばねなどの別部品を余分に用いることなく、上記衝撃の緩和や騒音の軽減を図ることが可能になる。
【００１１】
本発明では、樹脂製の板ばねでなる上記第２摺動体は、その長手方向両端が上記シャーシ又は上記ディスクトレイに支えられた両持ち構造を有するものであることが望ましい。これによれば、樹脂製の板ばねを片持ち構造とした場合に比べてその板ばねの弾性の低下が抑制されやすいために、板ばねの耐用性が向上し、ひいては制動手段の初期性能が長期に亘って持続するようになる。その上、板ばねの耐用性が向上することから、制動手段の初期性能を維持したまま、板ばねの厚さを変化させなどの手段でその弾力性の強さを調節しやすくなる。そのために、ディスクトレイの動作停止の直前のタイミングでのディスクトレイの動作速度の調整や制御を容易に行うことができるようになってそのディスクトレイの動作品位を高めやすくなる。
【００１２】
本発明では、樹脂製の板ばねでなる上記第２摺動体の両側に、その第２摺動体の弾性変位を許容する空間が形成されていて、その空間がこの第２摺動体の成形型の抜き跡によって形成されている、という構成を採用することが可能であり、この構成を採用することにより、ディスクトレイの制動時の第２摺動体としての板ばねの弾性変位を無理なく行わせることが可能になり、そのことが、板ばねの耐用性を向上させて制動手段の初期性能を維持する上で有利に働く。
【００１３】
本発明において、樹脂製の板ばねでなる上記第２摺動体は、その有効部分の厚さが長手方向のどの部分でも一様な寸法に定められている、という構成を採用することが可能である。この構成を採用すると、樹脂製の板ばねの有効部分の厚さを薄くしてその板ばねを弾性変形しやすくしたり、樹脂製の板ばねの有効部分の厚さを厚くしてその板ばねの弾性を強くしたりすることが可能になる。したがって、板ばねの厚さを増減変更するだけで、ディスクトレイの動作停止の直前のタイミングでのディスクトレイの動作速度の調整や制御を容易に行うことができるようになってそのディスクトレイの動作品位を高めることが可能になる。
【００１４】
本発明に係るディスク装置は、構体としてのシャーシと、駆動力を受けて上記シャーシに対し出し入れされることによりディスクの給排を行うディスクトレイと、このディスクトレイを案内してシャーシに対するディスクトレイの進入退出経路を形成するガイド手段と、上記ディスクトレイ側の係合部及びこの係合部を受け止めるための受部を備えて上記ディスクトレイの進入又は退出の動作を停止させる作用を行うストッパ手段と、このストッパ手段の作用によって上記ディスクトレイの退出動作が停止される直前にそのディスクトレイを制動してその退出速度を漸減させる制動手段と、を備えるディスク装置において、上記制動手段が、互いに一方向に摺動することによって摺動抵抗を漸増させる第１摺動体とその相手方部材としての樹脂製の板ばねでなる第２摺動体との組み合わせでなり、上記第１摺動体が樹脂成形体でなる上記シャーシに一体成形されて側面が上記第２摺動体に対する摺動部として形成された突起でなり、樹脂製の板ばねでなる上記第２摺動体は、樹脂成形体でなる上記ディスクトレイに一体成形されてその長手方向両端がそのディスクトレイに支えられた両持ち構造を有していると共に、その第２摺動体の両側に、この第２摺動体の成形型の抜き跡によって形成されてその有効部分の弾性変位を許容する空間が形成され、かつ、その有効部分の厚さが長手方向のどの部分でも一様な寸法に定められている、という構成を採用することによっていっそう具体化される。この発明の作用などについては後述する実施形態を参照して詳細に説明する。
【発明の効果】
【００１５】
以上のように、本発明によれば、別部品としての板ばねを余分に用いていないにもかかわらず、制動手段の作用によってディスクトレイの進入動作又は退出動作を停止させるときに発生する衝突音が軽減する。そのため、組立工程が煩雑化したり必要部品点数の増加によるコスト高などを来さずに、上記衝突音の小さなディスク装置を安価に提供することが可能になるという効果が奏される。
【００１６】
また、樹脂製の板ばねを両持ち構造にしてその耐用性を向上させた上で、その板ばねの弾性強さの調整幅を広く確保することが容易になるので、ディスクトレイの動作停止の直前のタイミングでのディスクトレイの動作速度を調整することによってそのディスクトレイの長期に亘る動作品位を高めやすくなるという効果も奏される。
【発明を実施するための最良の形態】
【００１７】
図１は本発明に係るディスク装置の概略平面図、図２は図１の要部の概略拡大平面図、図３はガイド手段３０を示した概略垂直断面図、図４は制動手段５０を構成している樹脂製の板ばねの形成箇所を示した概略斜視図、図５及び図６は制動手段５０の動作状態を示した概略平面図である。
【００１８】
図１のように、この実施形態に係るディスク装置は、構体としてのシャーシ１０と、駆動力を受けて上記シャーシ１０に対し出し入れされることによりディスクの給排を行うディスクトレイ２０と、このディスクトレイ２０を案内してシャーシ１０に対するディスクトレイ２０の進入退出経路を形成するガイド手段３０と、ディスクトレイ２０の進入又は退出の動作を停止させる作用を行うストッパ手段４０と、このストッパ手段４０の作用によってディスクトレイ２０の退出動作が停止される直前にそのディスクトレイを制動してその退出速度を漸減させる制動手段５０と、を備えている。
【００１９】
シャーシ１０は当該ディスク装置の構体としての役割を発揮するものであって、図示していない光ピックアップやターンテーブル、ディスクトレイ２０の進入動作や退出動作の駆動源としてのモータなどが組み付けられている。そして、シャーシ１０に組み付けられているモータの回転軸に固着された駆動歯車１２の正方向又は逆方向の回転が、ディスクトレイ２０の裏面側に樹脂で一体成形されてその駆動歯車１２に噛み合っているまっすぐなラック１３を経てディスクトレイ２０の進入方向又は退出方向の直線移動に変換されるようになっている。
【００２０】
シャーシ１０に出し入れされるディスクトレイ２０には、サイズの異なる２種類のディスクが載架される凹入状に形成されたディスク載置スペースＳ１，Ｓ２が区画形成されているほか、シャーシ１０に進入してディスクをローディングしたときに上記光ピックアップをディスクに臨ませるための開口Ｗが備わっている。
【００２１】
図１又は図３に示したように、ガイド手段３０は、シャーシ１０側に設けられた所要数の突起３１と、ディスクトレイ２０の裏面側に形成されて上記突起３１が摺動自在に係合されたまっすぐなガイド溝３２とを備えているほか、ディスクトレイ２０の進入動作及び退出動作に際して上記ガイド溝３２と突起３１との共働による案内作用を補助するためのシャーシ１０側の補助突起３３と、この補助突起３３の頂面を摺動するまっすぐな摺動面３４とを備えている。そして、このガイド手段３０によってディスクトレイ２０の進入退出経路が形成されるようになっている。
【００２２】
図１又は図２に示したストッパ手段４０は、ディスクトレイ２０の退出の動作を停止させる機能を備えている。具体的には、ディスクトレイ２０側に設けられてそのディスクトレイ２０の側部に突出されている係合部４１と、シャーシ１０側に設けられて上記係合部４１を受け止めるための受部４２とを備えていて、ディスクトレイ２０の退出してきたときに係合部４１が受部４２に係合することによってその退出動作を定位置で停止させることができるようになっている。
【００２３】
制動手段５０は、上記ストッパ手段４０の作用によってディスクトレイ２０の退出動作が停止される直前のタイミングでディスクトレイ２０を制動することによってその退出速度を漸減させるように働く。
【００２４】
この実施形態では、制動手段５０をシャーシ１０側に設けた突起でなる第１摺動体５１と、この第１摺動体５１の相手方部材としての樹脂製の板ばねでなる第２摺動体５２との組み合わせによって構成してあり、第２摺動体５２がディスクトレイ２０側に設けられている。図２又は図４に詳細に示したように、樹脂製の板ばねでなる第２摺動体５２は、樹脂成形体でなるディスクトレイ２０に一体成形されてその長手方向両端５２ａ，５２ｂがそのディスクトレイ２０に連結されて支えられた両持ち構造を有していることに加え、その第２摺動体５２の両側には空間５３，５４形成されていて、第２摺動体５２における上記空間５３，５４を縦通している部分が、長手方向のどの部分でも厚さが一様な寸法に定められた有効部分となっている。そして、樹脂製の板ばねでなる第２摺動体５２の有効部分の弾性変位がその両側の空間５３，５４によって許容されるようになっている。この実施形態では、樹脂製の板ばねでなる第２摺動体５２をディスクトレイ２０と共に樹脂で一体成形するときに、その第２摺動体５２の成形型の抜き跡によって上記空間５３，５４を形成してある。このように、成形型の抜き跡を空間５３，５４として利用すると、第２摺動体５２を別途製作してディスクトレイ２０に組み付けるという手間が不要になるだけでなく、ディスクトレイ２０の一部を打ち抜いたり欠除させたりしてその第２摺動体５２の変位を許容させるための空間５３，５４を別途形成するという手間が不要になるために、第２摺動体５２を設けたとしても部品点数が増加したり組立工程が煩雑になったりすることがないという利点がある。
【００２５】
また、図４によって判るように、樹脂製の板ばねでなる第２摺動体５２では、ディスクトレイ２０の退出方向Ｂに沿って延びる主部５５に傾斜した呼込みガイド部５６を連設した構成を備えている。このため、ディスクトレイ２０が図５のように退出方向Ｂに移動してその停止位置の直前に達したときには、第１摺動体５１の側面によって形成されている摺動部５７が呼込みガイド部５６に先に当接し、その後のディスクトレイ２０の移動により、図６のように第１摺動体５１の摺動部５７が第２摺動体５２を変位させながらその第２摺動体５２と摺動して移動し、上記したストッパ手段３０の作用によってディスクトレイ２０の退出動作が停止するようになっている。このことから、ディスクトレイ２０の停止位置の直前では、そのディスクトレイ２０が退出方向Ｂに移動するのに伴って第２摺動体５２に対する第１摺動体５１の摺動抵抗が漸増する結果、ディスクトレイ２０の退出の速度が漸減し、図２に示したストッパ手段４０の係合部４１が受部４２に係合するときのディスクトレイ２０の動作速度が遅くなってそれだけ衝撃が少なくなり、係合部４１が受部４２に係合するときの衝突音も軽減される。
【００２６】
この実施形態では、樹脂製の板ばねでなる第２摺動体５２がディスクトレイ２０に支えられた両持ち構造を有しているために、第２摺動体５２を片持ち構造の樹脂製の板ばねによって構成した場合に比べて板ばねの弾性の低下が抑制されやすくなって板ばねの耐用性が向上し、制動手段５０の初期性能が長期に亘って持続するようになるという利点がある。また、上記ように板ばねの耐用性が向上することから、制動手段の初期性能を維持したまま、板ばねの厚さを薄くしたり厚くしたりしてその弾力性の強さを調節しやすいという利点もある。そのため、板ばねの弾力性の強さを適切に調節することによって、ディスクトレイの動作停止の直前のタイミングでのディスクトレイの動作速度の調整や制御を容易に行うことができるようになる。具体的には、退出方向Ｂに高速で移動してきたディスクトレイ２０の動作速度を、それが停止する直前のタイミングで制動手段５０の作用により漸減させてストッパ手段４０の係合部４１を受部４２に無音で係合させるような制御を行うことも容易に可能になる。また、そのような制御を行わせることによって、ディスクトレイ２０の動作品位も向上したものになる。
【００２７】
以上説明した実施形態では、ディスクトレイ２０が退出方向Ｂに移動してストッパ手段４０の作用で停止する際の衝突音の軽減を図る構成を示したけれども、この構成は、ディスクトレイ２０が進入方向に移動して図示していないストッパ手段の作用で停止する際の衝突音の軽減を図るときにも同様に適用することが可能である。
【００２８】
また、上記実施形態では、制動手段５０の第１摺動部５１をシャーシ１０側に具備させ、その第２摺動部５２をディスクトレイ２０側に具備させてあるけれども、第１摺動部をディスクトレイ側に具備させ、樹脂製の板ばねでなる第２摺動部をシャーシ側に具備させることも可能であり、その場合には、第１摺動部をディスクトレイと共に樹脂で一体成形し、第２摺動部をシャーシと共に樹脂で一体成形することが望ましい。
【００２９】
さらに、制動手段５０の第２摺動部５２としての樹脂製の板ばねは、その有効部分の肉厚を長手方向で漸増又は漸減させておいてもよい。そのようにすると、第２摺動部５２と摺動する第１摺動部５１に作用する弾性の大きさがディスクトレイ２０の移動に伴って変化するようになるので、ディスクトレイ２０の動作速度を、より多様に制御することが可能になる。
【図面の簡単な説明】
【００３０】
【図１】本発明に係るディスク装置の概略平面図である。
【図２】図１の要部の概略拡大平面図である。
【図３】ガイド手段を示した概略垂直断面図である。
【図４】制動手段を構成している樹脂製の板ばねの形成箇所を示した概略斜視図である。
【図５】制動手段の動作状態を示した概略平面図である。
【図６】制動手段の他の動作状態を示した概略平面図である。
【符号の説明】
【００３１】
１０  シャーシ
２０  ディスクトレイ
３０  ガイド手段
４０  ストッパ手段
４１  係合部
４２  受部
５０  制動手段
５１  １摺動体
５２  第２摺動体
５３，５４  空間
５７  摺動部
【図１】
2008186562.tif 000003
【図２】
2008186562.tif 000004
【図３】
2008186562.tif 000005
【図４】
2008186562.tif 000006
【図５】
2008186562.tif 000007
【図６】
2008186562.tif 000008